(57)【要約】      （修正有）【課題】複数の送信機と少なくとも１個の受信機の間で簡単にデータ伝送ができる通信装置を提供する。【解決手段】複数の送信機と受信機がバスに接続されている複数の送信機と受信機の間でデータを伝送するための方法において、第１送信機は同期信号をバスに供給し、データ要素を送信することによって、送信機に割り当てられた予め設定したデータ量を、バスを経て受信機に伝送する。第１送信機の後でデータをバスに伝送する送信機はその都度、個々の送信機がデータを伝送し始める時点を検出する。この検出は送信機がバスを監視し、同期信号から出発してバスを経て伝送されるデータ量を測定し、予め設定したデータ量と比較して行われ、データ量の値が達成されるや否や、送信機はデータ伝送を開始する。【選択図】図１
2009171574.tif 000002
【特許請求の範囲】
【請求項１】
少なくとも２個の送信機(3a, 3b)と少なくとも１個の受信機(4)の間でデータを伝送するための方法であって、複数の送信機(3a, 3b)と少なくとも１個の受信機(4)がバス(2)に接続され、次のステップ、即ち
a)  同期信号(14)をバス(2)に供給し、１だけ減らした送信機(3a, 3b)の数に一致する少なくともデータ量カウンタの数を、予め設定したスタート値にセットすること
を有し、
b)  第１送信機(3a, 3b)について次のステップ、即ち
b1)  送信機(3a, 3b)からバス(2)を経て少なくとも１個の受信機(4)にデータ要素を伝送することと、
b2)  送信されたデータ量を確認することと、
b3)  送信されたデータ量を、送信機(3a, 3b)に割り当てられた予め設定したデータ量と比較することと、
b4)  確認されたデータ量が予め設定したデータ量よりも少ないときに、ステップb1)〜b4)を繰り返すことと
を実行し、
c)  他の各送信機(3b, 3a)について次のステップ、即ち
c1)  バス(2)からデータ要素を受信することと、
c2)  当該送信機(3b, 3a)に付設されたデータ量カウンタの計数を、受信したデータ量に合わせることと、
c3)  カウンタの計数を、当該送信機(3b, 3a)に割り当てられた予め設定したデータ量の値と比較することと、
c4)  カウンタの計数が予め設定したデータ量の値にまだ達していなかった場合に、ステップc1)〜c4)を繰り返すことと、
c5)  当該送信機(3b, 3a)についてステップb1)〜b4)を実施すること
を実行し、
この場合その都度同時に１個だけの送信機(3a, 3b)がバス(2)に送信するように、他の１個の送信機(3b, 3a)のデータ量の値が選定されるか又は他の複数の送信機(3b, 3a)のデータ量の値が選定される、方法。
【請求項２】
少なくとも２つのデータ要素において、送信機(3a, 3b)からバス(2)を経て少なくとも１個の受信機(4)に伝送するための時間が異なっていることを特徴とする請求項１記載の方法。
【請求項３】
少なくとも１個の送信機(3a, 3b)がバスを経て伝送されたデータ要素の妥当性を検査し、この検査の結果に依存する状況信号(21)をバスに出力することを特徴とする請求項１又は２記載の方法。
【請求項４】
少なくとも１個の送信機(3a, 3b)について、当該送信機(3a, 3b)がそのデータ要素をバス(2)に伝送する番になっている時間が測定されることと、測定された時間が限界値と比較されることと、そして測定された時間が限界値と一致する場合及び／又はこの限界値よりも大きい場合に、他の送信機(3b)が請求項１に記載したステップb1)〜b4)を実施することを特徴とする請求項１ないし３いずれか１項に記載の方法。
【請求項５】
バス(2)に接続された少なくとも２個の送信機(3a, 3b)と、バス(2)に接続された少なくとも１個の受信機(4)とを備え、送信機(3a, 3b)がそれぞれ少なくとも１個のデータソース(8a, 8b)と、このデータソースに接続された第１バスインタフェースとを備え、少なくとも１個の受信機(4)がデータシンク(11)と、このデータシンクに接続された第２バスインタフェースとを備え、同期信号をバス(2)に送信するための装置が設けられ、第１バスインタフェースがそれぞれ、バス(2)に接続された送信装置(5a, 5b)と、バス(2)及び制御装置内(9a, 9b)に接続された受信装置(6a, 6b)と、この受信装置に接続されかつデータ量カウンタを有する、バス(2)を経て伝送されたデータの量を測定するための測定装置(15)と、この測定装置(15)及び制御装置(9a, 9b)に接続された、データ量カウンタの計数を、予め設定した少なくとも１つのデータ量の値(16)と比較するための比較装置(17)とを備え、同期信号(14)を受信した後で、第１送信機(3a)のデータソース(8a)からの予め設定した第１データ量のデータが送信装置(5a)によってバス(2)に送信されるように、第１送信機(3a)の制御装置(9a, 9b)がその受信装置(6a)及びその送信装置(5a)に制御的に接続され、当該第２送信機(3b)に割り当てられた予め設定した第２データ量を受信した後で、当該第２送信機(3b)のデータソース(8b)からの予め設定した第３データ量のデータが送信装置(5b)によってバス(2)に送信されるように、少なくとも１個の第２送信機(3b)の制御装置(9b)がその送信装置(5b)に制御的に接続され、その都度同時に１個だけの送信機(3a, 3b)がバス(2)に送信するように、第１データ量と、少なくとも１つの第２データ量と少なくとも１つの第３データ量が選定されている、通信装置(1)。
【請求項６】
通信装置がクロック時間信号をバス(2)に送信するための装置を備えていることと、送信機(3a, 3b)がそれぞれ、送信装置(5a, 5b)に接続された、クロック信号を発生するためのクロックジェネレータ(10a, 10b)を備えていることと、少なくとも１個のクロックジェネレータ(10a, 10b)がそのクロック信号の周期を調節するための調節装置を備えていることと、クロック信号の周期がクロック時間信号の時間に依存して調節可能であるように、調節装置が当該送信機(3a, 3b)の受信装置(6a,6b)に制御的に接続されていることを特徴とする請求項５記載の通信装置(1)。
【請求項７】
データソース(8a, 8b)が測定信号を検出するための少なくとも１個のセンサを備えていることを特徴とする請求項５又は６記載の通信装置(1)。
【請求項８】
送信装置(5a, 5b)がデータ信号を発生することができるパルス幅変調装置を備え、このデータ信号が第１信号レベルの少なくとも１つの第１データ信号部分と、第２信号レベルの第２データ信号部分とを有していることと、少なくとも１つのこのデータ信号部分の長さがデータ信号に記憶された情報に依存していることを特徴とする請求項５ないし７いずれか１項に記載の通信装置(1)。
【請求項９】
少なくとも１個の送信機(3a, 3b)がバスから受信したデータの妥当性を検査するための装置を備えていることと、妥当性検査の結果に依存する状況信号（２１）がバス（２）に出力可能であるように、妥当性を検査するための装置が好ましくは送信機(3a, 3b)の送信装置(5a, 5b)に制御的に接続されていることを特徴とする請求項５ないし８いずれか１項に記載の通信装置(1)。
【請求項１０】
少なくとも１個の送信機(3b)が、他の送信機(3a, 3b)がデータをバスに伝送する番になっている時間を測定するための測定装置を備えていることと、測定装置が時間を限界値と比較するために比較装置に接続されていることと、測定された時間が限界値と一致する場合及び／又はこの限界値よりも大きい場合に、最初に述べた送信機(3b)に割り当てられた予め設定した、この送信機(3b)のデータソース(8b)からのデータ量のデータが、送信装置(5b)によってバス(2)に送信されるように、比較装置が最初に述べた送信機(3b)の送信装置(5b)に制御的に接続されていることを特徴とする請求項５ないし９いずれか１項に記載の通信装置(1)。
【発明の詳細な説明】
【技術分野】
【０００１】
本発明は、複数の送信機と少なくとも１個の受信機がバスに接続されている、少なくとも２個の送信機と少なくとも１個の受信機の間でデータを伝送するための方法に関する。本発明は更に、バスに接続された少なくとも２個の送信機と、バスに接続された少なくとも１個の受信機とを備え、送信機がそれぞれ少なくとも１個のデータソースと、このデータソースに接続された第１バスインタフェースとを備え、少なくとも１個の受信機がデータシンクと、このデータシンクに接続された第２バスインタフェースとを備えている、通信装置に関する。
【背景技術】
【０００２】
このような方法とこのような通信装置は実際に知られている。通信装置は自動車に配置され、複数の送信機を備えている。この送信機はそれぞれ、データソースとして、物理的な測定量を検出するためのセンサを備えている。このセンサによって測定値が検出され、送信機に統合されたデータメモリに記憶される。データメモリから測定値を読み出し、バスを経て、制御装置として形成された受信機に伝送することができる。測定値の伝送のために、制御装置は先ず最初に、バスを経て、適当な照会をセンサの一つに送信する。その上で、当該のセンサがデータをバスに送信する。そして、バスからデータが制御装置に読み込まれる。送信機は制御装置の事前の照会なしに、バスに送信することもできる。そのために、通信装置はバスを介してデータ伝送を制御するアービトレーションロジックを備えている。このアービトレーションロジックによって、複数のバス接続ユニットがバスに同時に送信することと、その際伝送エラーを生じることが回避される。しかしながら、この通信装置は、特にアービトレーションロジックがかなり高価であるという欠点がある。更に、個々のバス接続ユニット（送信機、受信機）がクロックジェネレータとして長時間安定する発振器を必要とすることが不利である。この発振器は比較的に高価である。
【０００３】
更に、複数の送信機を有する通信装置が実際に知られている。この送信機はそれぞれ固有のデータラインを介して中央制御装置に接続されている。その際、個々の送信機はそれに付設されたデータラインを経て制御装置にデータを連続的に送信する。配線コストはセンサの数の増大につれて比較的に大きく上昇する。更に、制御装置は多数の入力部及び／又は出力部を備えていなければならない。
【発明の概要】
【発明が解決しようとする課題】
【０００４】
そこで、複数の送信機と少なくとも１個の受信機の間で簡単にデータ伝送することができる、冒頭に述べた種類の方法と通信装置を提供するという課題が生じる。
【課題を解決するための手段】
【０００５】
この課題は、方法については、次の方法ステップによって解決される。
ａ）  同期信号をバスに供給し、１だけ減らした送信機の数に一致する少なくともデータ量カウンタの数を、予め設定したスタート値にセットすることと、
ｂ）  第１送信機について次のステップ、即ち
ｂ１）  送信機からバスを経て少なくとも１個の受信機にデータ要素を伝送することと、
ｂ２）  送信されたデータ量を確認することと、
ｂ３）  送信されたデータ量を、送信機に割り当てられた予め設定したデータ量と比較することと、
ｂ４）  確認されたデータ量が予め設定したデータ量よりも少ないときに、ステップｂ１）〜ｂ４）を繰り返すこと
を実行し、
ｃ）他の各送信機について次のステップ、即ち
ｃ１）  バスからデータ要素を受信することと、
ｃ２）  当該送信機に付設されたデータ量カウンタの計数を、受信したデータ量に合わせることと、
ｃ３）  カウンタの計数を、当該送信機に割り当てられた予め設定したデータ量の値と比較することと、
ｃ４）  カウンタの計数が予め設定したデータ量の値にまだ達していなかった場合に、ステップｃ１）〜ｃ４）を繰り返すことと、
ｃ５）  当該送信機についてステップｂ１）〜ｂ４）を実施すること
を実行し、
この場合その都度同時に１個だけの送信機がバスに送信するように、他の１個の送信機のデータ量の値が選定されるか又は他の複数の送信機のデータ量の値が選定される。
【０００６】
データ伝送が共通のバス又はバスラインを経て、送信機のコンフィギュレーションによって予め定められた順序で行われると有利である。その際、それぞれの送信機のために設けられたデータ量が送信機のデータソースからバスに伝送されるまで、個々の送信機はそれぞれデータ要素をバスに順々に送信する。先ず最初に、第１送信機がそのデータをバスに送信する。次にデータ伝送の番になる送信機は、ちょうどバスに送信した送信機が送信過程を終了したときに初めて、データ伝送を開始する。第１送信機の後でデータをバスに伝送する送信機はその都度、個々の送信機がデータを伝送し始める時点を検出する。この検出は、送信機がバスを監視し、そして同期信号から出発してバスを経て伝送されるデータ量を測定し、かつ当該送信機に割り当てられた予め設定したデータ量の値と比較することによって行われる。このデータ量の値が達成されるや否や、当該送信機はデータ伝送を開始する。それによって、複数の送信機が同時にバスに送信することによって生じる衝突が最初から回避される。バスを介してのデータ伝送は好ましくは、第１データ伝送サイクルの終了後適当な方法で他のデータ伝送サイクルを実施することにより、周期的に行われる。本発明によるデータ伝送方法は、例えば複数のセンサ要素を有する調節要素用位置センサのような冗長的なシステムにおいて有利に使用可能である。その際、調節要素は特に内燃機関のスロットル弁又はアクセルペダルである。
【０００７】
本発明の有利な実施形態では、少なくとも２つのデータ要素において、送信機からバスを経て少なくとも１個の受信機に伝送するための時間が異なっている。これは特に、複数ビットの情報量を有するデータ要素が、少なくとも１つの第１信号レベルと少なくとも１つの第２信号レベルを有するバス信号によって表され、この信号レベルの少なくとも一方の時間がデータ要素に記憶された情報に依存することによって達成可能である。
【０００８】
本発明の有利な実施形態では、少なくとも１個の送信機がバスを経て伝送されたデータ要素の妥当性を検査し、この検査の結果に依存する状況信号をバスに出力する。この状況信号はその他のバス接続ユニット（送信機、受信機）によって読み込み可能であり、それによってエラーの発生時に場合によってはバスから受信機に読み込まれたデータを廃棄し、伝送時にエラーが発生したデータを、もう一度送信機からバスを経て受信機に伝送することができる。データ伝送サイクルの終了後、状況信号をバスに送信すると有利である。その際、データ伝送サイクルとは、バスへの同期信号の供給と、バスに接続されたすべての送信機がそれに割り当てられたデータ量をバスに送信した時点との間の時間であると理解される。
【０００９】
好ましくは、少なくとも１個の送信機について、当該送信機がそのデータ要素をバスに伝送する番になっている時間が測定され、測定された時間が限界値と比較され、そして測定された時間が限界値と一致する場合及び／又はこの限界値よりも大きい場合に、他の送信機が請求項１に記載したステップｂ１）〜ｂ４）を実施する。それによって、１個の送信機が故障又は異常を生じたときにも、バスを経てデータを伝送することができる。
【００１０】
上記の課題は、冒頭に述べた種類の通信装置に関しては、同期信号をバスに送信するための装置が設けられていることと、第１バスインタフェースがそれぞれ、バスに接続された送信装置と、バス及び制御装置内に接続された受信装置と、この受信装置に接続されかつデータ量カウンタを有する、バスを経て伝送されたデータの量を測定するための測定装置と、この測定装置及び制御装置に接続された、データ量カウンタの計数を、予め設定した少なくとも１つのデータ量の値と比較するための比較装置とを備えていることと、同期信号を受信した後で、第１送信機のデータソースからの予め設定した第１データ量のデータが送信装置によってバスに送信されるように、第１送信機の制御装置がその受信装置及びその送信装置に制御的に接続されていることと、当該第２送信機に割り当てられた予め設定した第２データ量を受信した後で、当該第２送信機のデータソースからの予め設定した第３データ量のデータが送信装置によってバスに送信されるように、少なくとも１個の第２送信機の制御装置がその送信装置に制御的に接続されていることと、その都度同時に１個だけの送信機がバスに送信するように、第１データ量と、少なくとも１つの第２データ量と少なくとも１つの第３データ量が選定されていることによって解決される。
【００１１】
共通のバスへのアクセスは、送信機のコンフィギュレーションによって設定された順序で周期的に行われ、個々の送信機はバスを経て少なくとも１個の受信機にデータを順々に送信する。通信装置はバスにおける衝突を簡単に回避する。受信機は見たところ１個の要素からデータを得る。基礎となるバス構造は受信機にとって見えない。これは受信機にとってデータのきわめて簡単な評価可能性をもたらす。
【００１２】
通信装置がクロック時間信号をバスに送信するための装置を備え、送信機がそれぞれ、送信装置に接続された、クロック信号を発生するためのクロックジェネレータを備え、少なくとも１個のクロックジェネレータがそのクロック信号の周期を調節するための調節装置を備え、クロック信号の周期がクロック時間信号の時間に依存して調節可能であるように、調節装置が当該送信機の受信装置に制御的に接続されていると有利である。個々の送信機のクロックジェネレータが簡単な方法でその周期をクロック時間信号に合わせることができるので、バスに接続されたすべての送信機のクロックジェネレータは互いに同期して作動する。クロック時間信号がバスに周期的に送信可能であるので、クロックジェネレータは長時間安定である必要はない。それによって、クロックジェネレータは簡単にかつ低コストになるように形成可能である。クロック時間信号を送信するための装置が送信機の１つと一体化されていると有利である。この送信機はマスタ送信機としての働きをし、場合によっては更に同期信号をバスに送信する。
【００１３】
本発明の有利な実施形態では、データソースが測定信号を検出するための少なくとも１個のセンサを備えている。このセンサは例えば磁界センサ、特にホールセンサである。
【００１４】
送信装置がデータ信号を発生することができるパルス幅変調装置を備え、このデータ信号が第１信号レベルの少なくとも１つの第１データ信号部分と、第２信号レベルの第２データ信号部分とを有し、少なくとも１つのこのデータ信号部分の長さがデータ信号に記憶された情報に依存していると合目的である。バスを経て伝送されたデータ要素に依存して発生したデータ信号が、その中に記憶された情報に関係なく、その都度２つだけの信号レベル又は１つの勾配を有するので、データ伝送時に発生するＥＭＣ故障が相応して減少する。
【００１５】
少なくとも１個の送信機がバスから受信したデータの妥当性を検査するための装置を備え、妥当性検査の結果に依存する状況信号がバスに出力可能であるように、妥当性を検査するための装置が好ましくは送信機の送信装置に制御的に接続されていると有利である。データ伝送時にエラーが確認されると、そのデータは場合によっては廃棄可能である。更に、伝送時にエラーが確認されたデータはバスを経てもう一度伝送することが可能である。
【００１６】
本発明の有利な実施形態では、少なくとも１個の送信機が、他の送信機がデータをバスに伝送する番になっている時間を測定するための測定装置を備え、測定装置が時間を限界値と比較するために比較装置に接続され、測定された時間が限界値と一致する場合及び／又はこの限界値よりも大きい場合に、最初に述べた送信機に割り当てられた予め設定した、この送信機のデータソースからのデータ量のデータが、送信装置によってバスに送信されるように、比較装置が最初に述べた送信機の送信装置に制御的に接続されている。この手段により、バスを経て受信機へきわめて安定したデータ伝送が可能となる。
【図面の簡単な説明】
【００１７】
次に、図に基づいて本発明の実施の形態を詳しく説明する。
【００１８】
【図１】データバスを介して互いに接続された複数の送信機及び１個の受信機を備えた通信装置の概略的な図である。
【図２】マスタとしての働きをする第１送信機のブロック図である。
【図３】スレーブとして形成された第２送信機のブロック図である。
【図４】受信機のブロック図である。
【図５】バスを経て伝送される信号の概略的な図である。
【発明を実施するための形態】
【００１９】
図１に全体を符号１で示した通信装置はバス２を備えている。このバスには複数の送信機３ａ，３ｂと１個の受信機４が接続されている。バス２を経て通信するために、送信機３ａ，３ｂはそれぞれ第１バスインタフェースを備え、受信機４は第２バスインタフェースを備えている。図２と３から明らかなように、第１バスインタフェースはそれぞれ送信装置５ａ，５ｂと第１受信装置６ａ，６ｂを備えている。受信機４は第２受信装置７を備えている。送信装置５ａ，５ｂ、第１受信装置６ａ，６ｂ及び第２受信装置７はそれぞれバス２に接続されている。
【００２０】
各送信機３ａ，３ｂはそれぞれデータソース８ａ，８ｂを備えている。このデータソースはデジタル測定信号を検出するための図に示していないセンサを備えている。データソース８ａ，８ｂはそれぞれ、第１制御装置９ａ，９ｂを介して当該送信機３ａ，３ｂの送信装置５ａ，５ｂに接続されている。各送信機３ａ，３ｂは更に、第１制御装置９ａ，９ｂに接続されたクロックジェネレータ１０ａ，１０ｂを備えている。各送信機３ａ，３ｂの第１制御装置９ａ，９ｂは更に、当該の送信機３ａ，３ｂの第１受信装置６ａ，６ｂに接続されている。
【００２１】
図４から明らかなように、受信機４はデータシンク１１を備えている。このデータシンクは例えばデータメモリを備えている。このデータメモリには、個々のデータソース８ａ，８ｂからバス２を経て伝送されたデジタル測定信号又は測定値を記憶することができる。データシンク１１は第２制御装置１２を介して第２受信装置７に接続されている。第２制御装置１２は更に、受信機４に付設されたクロックジェネレータ１０ｃに接続されている。
【００２２】
送信機３ａはマスタとしての働きをし、マスタクロック信号を発生するための装置を備えている。このマスタクロック信号はクロックジェネレータ１０ａの出力信号から周波数分割することによって形成される。マスタクロック信号は送信機３ａの送信装置５ａによって同期信号１４の形でバスに送信可能である。同期信号１４の伝送中、バスは、マスタクロック信号の所定の数のクロックサイクルの時間だけ、所定の信号レベルになる。
【００２３】
送信機３ｂはスレーブとして形成され、それぞれクロック同期装置１３ａを備えている。このクロック同期装置は当該の送信機３ｂのクロックジェネレータ１０ｂと受信装置６ｂに接続されている。同期信号１４の発生時に、クロック同期装置１３ａにより、当該の送信機３ｂ内でクロックジェネレータ１０ｂの出力信号からの周波数分割によって発生したクロック信号が、送信機３ａのマスタクロック信号に対して周波数と位相位置を同期させられる。
【００２４】
クロック同期装置１３ｂを備えた受信機４が同様な方法で形成されている。このクロック同期装置はクロックジェネレータ１０ｃと第２受信装置７に接続されている。同期信号１４の発生時に、クロック同期装置１３ｂにより、受信機４内でクロックジェネレータ１０ｃの出力信号からの周波数分割によって発生したクロック信号が、送信機３ａのマスタクロック信号に対して周波数と位相位置を同期させられる。
【００２５】
個々の送信機３ａ，３ｂがデータソース８ａ，８ｂからデータシンク１１へデータを伝送するために一緒にバスを利用できるようにし、かつその際データ伝送時に衝突を生じないようにするために、少なくともスレーブとして形成された送信機３ｂがそれぞれ、バスを経て伝送されるデータ量を測定するための、データ量カウンタを有する測定装置１５を備えている。
【００２６】
測定装置１５はそれぞれ、比較装置１７を介して、データ量カウンタの計数を、当該の送信機３ｂに割り当てられた所定のデータ量の値１６と比較するために、送信機３ｂの制御装置９ｂに接続されている。
【００２７】
図５のタイミンググラフから判るように、データ伝送サイクルの開始時に先ず最初に、マスタとして形成された送信機３ａが同期信号１４をバス２に送信する。同期信号１４はスレーブとして形成された送信機３ｂと受信機４とによって受信され、それに基づいてこの送信機と受信機はそれぞれ、クロックジェネレータ１０ｂ又は１０ｃの出力信号から生じるクロック信号を、送信機３ａのマスタクロック信号と同期させる。同期信号１４の受信時に、送信機３ｂはその都度そのデータ量カウンタの計数を、所定のスタート値にセットする。このスタート値を例えばゼロの値を有する。
【００２８】
以下において第１送信機３ａとも呼ばれる送信機３ａは、同期信号１４に続いて、そのデータソース８ａから供給されたデータを、バス２に送信する。このデータ信号は図５において１８で示してある。データは所定の第１のデータ量又は所定の第１のデータボリュームを有する。データは、例えばそれぞれ４ビットの情報量を有するデータ要素の形で、バスに送信される。
【００２９】
各データ要素の第１部分は第１信号レベルを有し、第２部分は第２信号レベルを有する。第１部分は一定の時間であり、第２部分はデータ要素に割り当てられバスを経て伝送される情報に依存する可変時間である。この時間は情報に応じて、第１の時間であるか又はその複数倍の時間である。
【００３０】
データ要素の送信後その都度、第１送信機３ａはそれからバスに送信されたデータ量を確認し、第１送信機３ａに割り当てられた予め設定したデータ量と比較する。確認されたデータ量が予め設定したデータ量よりも少ないときには、上記のステップが繰り返される。即ち、第１送信機３ａは、その後、予め設定したデータ量が伝送されたかどうかを新たに検査するために、他のデータ要素をバス２に送信する。
【００３１】
第１送信機３ａがデータ要素をバス２に送信する間、残りの送信機３ｂと受信機４はバスからデータ要素を読み込む。その際、データ要素の読み込みは当該の送信機３ｂ又は受信機４のクロック信号によって同期させられる。データ要素の読み込みの後でその都度、データ要素をバス２に送信しなかった送信機３ｂが、そのデータ量カウンタの計数を受信したデータ量に合わせ、そしてこの計数を、当該の送信機３ｂに割り当てられた予め設定したデータ量の値と比較する。
【００３２】
比較の結果、カウンタの計数が予め設定したデータ量の値にまだ達していないと、過程が繰り返される。即ち、他のデータ要素がバス２から読み込まれ、データ量カウンタがそれに合わせて変更され、そしてカウンタの計数が予め設定したデータ量の値と新たに比較される。送信機３ｂのカウンタ計数が予め設定したデータ量の値に達すると、この送信機はそれに割り当てられた予め設定したデータ量を、バス２に送信し始める。
【００３３】
第２送信機３ｂのデータ量の値が第１送信機３ａから送信されたデータ量に一致するので、第１送信機３ａがそれに割り当てられたデータ量をバス２に伝送したらすぐに、第２送信機３ｂはデータをバス２に送信し始める。第２送信機３ｂのデータ信号は図５において符号１９で示してある。
【００３４】
これと同様に、第３送信機３ｂのデータ量の値が第１送信機３ａと第２送信機３ｂから送信されたデータ量と一致するので、第２送信機３ｂがそれに割り当てられたデータ量をバス２に伝送したらすぐに、第３送信機３ｂはデータをバス２に送信し始める。第３送信機３ｂのデータ信号は図５において符号２０で示してある。
【００３５】
必要に応じて、同様な方法で、バスに接続された他の送信機３ｂがバス２を経てデータを伝送することができる。個々の送信機３ａ，３ｂはバス２を経てそのデータを一定の順序で順々に受信機４に伝送する。
【００３６】
マスタとしての働きをする送信機３ａと、少なくとも１個の他の送信機３ｂは、ちょうど送信しないときに、バス２を経て伝送されたデータ要素を受信し、このデータ要素の妥当性を検査する。この検査の結果に依存して、当該の送信機３ａ，３ｂは各データ伝送サイクルの最後にその都度、例えば診断ビットの形の状況情報をバス２に送信する。この状況情報は図５において符号２１で示してある。妥当性検査の際、データ要素を例えば予め定められた許容されるデータ領域と比較することができる。
【００３７】
送信機３ａ，３ｂと受信機４がバス２に接続されている場合に、少なくとも２個の送信機３ａ，３ｂと受信機４の間でデータを伝送するための方法において、同期信号がバス２に供給され、１だけ減らした送信機３ａ，３ｂの数に一致するデータ量カウンタの数が、予め設定したスタート値にセットされる。第１送信機３ａはデータ要素の送信によって、送信機に割り当てられた予め設定したデータ量を、バスを経て受信機４に伝送する。他の各送信機３ｂ，３ａのために、次のステップが行われる。
１）  バス２からデータ要素を受信することと、
２）  当該送信機３ｂ，３ａに付設されたデータ量カウンタの計数を、受信したデータ量に合わせることと、
３）  カウンタの計数を、当該送信機３ｂ，３ａに割り当てられた予め設定したデータ量の値と比較することと、
４）  カウンタの計数が予め設定したデータ量の値にまだ達していなかったときに、ステップ１）〜４）を繰り返すことと、
５）  当該送信機３ｂ，３ａに割り当てられた予め設定したデータ量のデータ要素を、バスを経て受信機４に送信すること。
その都度同時に１個だけの送信機３ａ，３ｂがバス２に送信するように、他の１個の送信機３ｂ，３ａのデータ量の値が選定されるか又は他の複数の送信機３ｂ，３ａのデータ量の値が選定される。
【図１】
2009171574.tif 000003
【図２】
2009171574.tif 000004
【図３】
2009171574.tif 000005
【図４】
2009171574.tif 000006
【図５】
2009171574.tif 000007